(57)【要約】【課題】変流器二次電流による遮断器引き外し方式の過電流継電器において、出力リレーの接点に接触不具合が発生しても、遮断器の不要動作を未然に防止できる構成を備えた過電流継電器を得ること。【解決手段】常閉型の出力リレー１１の接点１２は、変流器５の二次電流が遮断器引き外しコイル３に流れないようにするバイパス経路を閉路している。この出力リレーを収容する筐体２０は当該過電流継電器に対して着脱可能であって、活線状態においても引き抜き交換できるようなコネクタ２１ａ，２１ｂ，２１ｃ，２１ｄを備えている。短絡片２３は筐体２０を挿入したときは絶縁体突起物２２に押し開かされて開状態になり出力リレー１１の接点１２が前記バイパス経路を開閉できるようにし、筐体２０を引き抜いたときは絶縁体突起物２２が外れて閉状態になり前記バイパス経路を閉路状態に維持する。【選択図】        図１
2010022092.tif 000002
【特許請求の範囲】
【請求項１】
変流器二次電流による遮断器引き外し方式の過電流継電器において、
変流器に遮断器の引き外しコイルが接続され、この引き外しコイルの両端に常閉型の出力リレーを着脱可能にする１対の接続部、が備えられていることを特徴とする過電流継電器。
【請求項２】
前記１対の接続部から前記出力リレーを取り外したときに、前記１対の接続部の間が短絡することを特徴とする請求項１に記載の過電流継電器。
【請求項３】
変流器二次電流による遮断器引き外し方式の過電流継電器において、
変流器に遮断器の引き外しコイルが接続され、この引き外しコイルの両端に接続される常閉型の出力リレーの接点間の電圧を測定し、測定した電圧値が判定閾値を超えるとき監視異常と判断する電圧検出回路、
を備えていることを特徴とする過電流継電器。
【請求項４】
変流器二次電流による遮断器引き外し方式の過電流継電器において、
変流器に遮断器の引き外しコイルが接続され、この引き外しコイルの両端に接続される常閉型の出力リレーの接点間の電圧と、当該過電流継電器内に取り込まれる前記変流器の二次電流とをそれぞれ測定し、測定した電圧値及び電流値を用いて算出したインピーダンスが判定閾値を超えるとき監視異常と判断するインピーダンス検出回路、
を備えていることを特徴とする過電流継電器。
【請求項５】
前記監視異常出力を受けて閉路動作し外部へ異常信号を出力する常開型の補助リレー、を備えていることを特徴とする請求項３または４に記載の過電流継電器。
【請求項６】
前記監視異常出力を受けて閉路動作する常開型の補助リレーの接点が、前記出力リレーの接点と並列に設けられている、ことを特徴とする請求項３または４に記載の過電流継電器。
【請求項７】
前記遮断器に開路動作を行わせる事由が発生した場合に、前記補助リレーを強制的に常開状態へ復帰させるリセット回路、を備えていることを特徴とする請求項６に記載の過電流継電器。
【発明の詳細な説明】
【技術分野】
【０００１】
この発明は、主として高圧電気需要場所の受電点で使用する変流器二次電流による遮断器引き外し方式の過電流継電器に関するものである。
【背景技術】
【０００２】
変流器二次電流による遮断器引き外し方式の過電流継電器は、主として高圧電気需要場所の受電点における高圧６．６ｋＶの電路の短絡および過負荷保護を目的とする高圧受電用過電流継電器であり、非特許文献１に示す日本工業規格ＪＩＳＣ４６０２にて規定されている。
【０００３】
この変流器二次電流による遮断器引き外し方式の過電流継電器は、高圧電気需要場所の受電点と需要家用線路との接続を開閉する遮断器の引き外しコイルに供給する電流に、需要家用線路に設けた変流器の二次電流を使用するように構成することで、遮断器の操作用電源を不要としている。
【０００４】
具体的な構成例を示すと、この過電流継電器は、例えば非特許文献２に示されているように、当該過電流継電器内に、過電流検出回路と、常開型の出力リレーと、この出力リレーが開閉するバイパス経路と、このバイパス経路が開路したとき前記変流器の二次側端と前記遮断器の引き外しコイルとの間を接続する電流供給経路とを備えている。
【０００５】
過電流検出回路は、取り込んだ前記変流器の二次電流が判定閾値を超えるか否かに基づき、需要家用線路の負荷の過負荷発生有無や短絡事故の発生有無を判定する。
【０００６】
出力リレーは、過電流検出回路が判定動作を行っていない健全時ではバイパス経路を閉路して前記変流器の二次電流が前記遮断器の引き外しコイルに流れないようにしている。
【０００７】
この状態で、過電流検出回路が判定動作を行った場合に、出力リレーは、バイパス経路を開路して当該バイパス経路を流れる前記変流器の二次電流を遮断するように動作する。これによって、当該バイパス経路を流れていた前記変流器の二次電流が電流供給経路を介して前記遮断器の引き外しコイルに流れて、前記遮断器を開路させるようになっている。
【０００８】
【非特許文献１】日本工業規格「高圧受電用過電流継電器  ＪＩＳＣ４６０２」
【非特許文献２】カタログ「三菱保護継電器高圧受電用ＭＥＬＰＲＯＴＭ−Ａシリーズ」
【発明の開示】
【発明が解決しようとする課題】
【０００９】
ところで、変流器二次電流による遮断器引き外し方式の過電流継電器では、過電流検出回路が判定動作を行った場合、出力リレーが閉路して形成しているバイパス経路には大きな変流器二次電流が流れる。出力リレーは、その大きな変流器二次電流が流れている状態でバイパス経路を開路して遮断するので、接点間に生ずるアークによって接点部分のメッキが剥がされてしまい、接点部分が接触不良となることがある。
【００１０】
次に遮断器を閉じて運用に入るときに、過電流検出回路は判定動作を行わないので、出力リレーの接点が常閉の状態に戻り、変流器二次電流をバイパスする経路を形成するが、出力リレーの接点に接触不具合が発生していると、接触抵抗の増加によって、バイパス経路を流れる変流器二次電流が遮断器引き外しコイルへ分流してしまい、遮断器が不要動作を行うという問題が起こる。
【００１１】
また、変流器二次電流による遮断器引き外し方式の過電流継電器では、出力リレーは、需要家用線路に過負荷等が無く健全である期間は常時接点を閉じた状態で運用されるが、経年変化によって出力リレーの常時閉じている接点に接触不具合が発生することがあり、同様に、遮断器が不要動作を行うという問題が起こる。
【００１２】
この発明は、上記に鑑みてなされたものであり、変流器二次電流による遮断器引き外し方式の過電流継電器において、出力リレーの接点に接触不具合が発生しても、遮断器の不要動作を未然に防止できる構成を備えた過電流継電器を得ることを目的とする。
【課題を解決するための手段】
【００１３】
上述した目的を達成するために、この発明は、変流器二次電流による遮断器引き外し方式の過電流継電器において、変流器に遮断器の引き外しコイルが接続され、この引き外しコイルの両端に常閉型の出力リレーを着脱可能にする１対の接続部が備えられていることを特徴とする。
【発明の効果】
【００１４】
この発明によれば、出力リレーの接点に接触不具合が発生しても、遮断器の不要動作を未然に防止できるという効果を奏する。
【発明を実施するための最良の形態】
【００１５】
以下に図面を参照して、この発明にかかる過電流継電器の好適な実施の形態を詳細に説明する。
【００１６】
実施の形態１．
図１は、この発明の実施の形態１による過電流継電器の構成を説明する図である。図２は、図１に示す過電流継電器において出力リレーを活線状態で抜き出した場合にバイパス経路が維持される構成を説明する図である。
【００１７】
まず、この発明の理解を容易にするため、日本工業規格ＪＩＳＣ４６０２に規定される変流器二次電流による遮断器引き外し方式の過電流継電器、つまり、日本工業規格ＪＩＳＣ４６０２の規定に従って構成される従来の過電流継電器について簡単に説明する。
【００１８】
図１において、符号３は、図示しない高圧受電経路と需要家用線路との間の接続を開閉する遮断器の引き外しコイルである。この遮断器の引き外しコイル３は、以降、遮断器引き外しコイル３と記す。また、符号５は、図示しない上記需要家用線路に設けられる変流器である。
【００１９】
図１に示すように、過電流継電器６ａは、遮断器引き外しコイル３と変流器５とが接続される端子台７と、端子台７に接続される内部回路として、補助トランス８と、過電流検出回路９と、出力駆動回路１０と、常閉型の出力リレー（Ｘ）１１とを備えている。
【００２０】
端子台７には、４個の端子Ｃ１，Ｔ１，Ｃ２，Ｔ２が設けられている。端子Ｃ１は、変流器５の二次側における一方の端子に接続され、端子Ｃ２は、変流器５の二次側における他方の端子に接続されている。端子Ｔ１は、遮断器引き外しコイル３の一方の端１に接続され、端子Ｔ２は、遮断器引き外しコイル３の他方の端子に接続されている。
【００２１】
内部回路では、補助トランス８は、一次側が端子Ｃ１，Ｔ１に接続され、二次側が過電流検出回路９の入力端子に接続されている。出力リレー１１の接点１２の一方の端子は、端子Ｔ１に接続されている。端子Ｔ２と端子Ｃ２は、内部で接続され、共に、出力リレー１１の接点１２の他方の端子に接続されている。
【００２２】
つまり、変流器５の二次側両端間は、端子Ｃ１〜補助トランス８の一次側〜出力リレー１１の接点１２〜端子Ｃ２の経路を介して接続されている。この経路が、変流器５の二次電流が遮断器引き外しコイル３に流れないようにバイパスする経路である。このバイパス経路は、出力リレー１１の接点１２が常閉の状態になることで形成される。
【００２３】
遮断器引き外しコイル３の両端子が接続される端子Ｔ１，Ｔ２間は、出力リレー１１の接点１２を介して接続されている。出力リレー１１の接点１２が開路すると、変流器５の二次側の一方の端子が端子Ｃ１〜補助トランス８の一次側〜端子Ｔ１を介して引き外しコイル３の一端に接続される。また、変流器５の二次側の他方の端子が端子Ｃ２〜端子Ｔ２を介して引き外しコイル３の他端に接続されることで、変流器二次電流が遮断器引き外しコイル３に流れる。この経路が前記した電流供給経路である。
【００２４】
出力リレー１１の接点１２が常閉の状態になって形成しているバイパス経路を流れる変流器二次電流が補助トランス８にて検出される。補助トランス８は、検出した変流器二次電流を電圧に変換して過電流検出回路９に与える。
【００２５】
過電流検出回路９は、補助トランス８が検出した変流器二次電流が判定閾値を超えるか否かに基づき需要家用線路の負荷の過負荷発生有無や短絡事故の発生有無を判定する。すなわち、過電流検出回路９は、需要家用線路の負荷に過負荷や短絡事故が発生しない場合は、変流器二次電流は判定閾値を超えないので、判定動作を行わないが、需要家用線路の負荷に過負荷や短絡事故が発生すると、変流器二次電流は判定閾値を超えるので、判定動作を行う。
【００２６】
出力駆動回路１０は、過電流検出回路９が判定動作を行わない場合は、出力リレー１１のコイルを付勢しないので、出力リレー１１は、接点１２を常閉の状態に維持する。つまり、バイパス経路が維持され、遮断器引き外しコイル３には変流器二次電流は供給されない。そして、出力駆動回路１０は、過電流検出回路９が判定動作を行うと、出力リレー１１のコイルを付勢する。これによって、出力リレー１１は、接点１２を開状態にするので、バイパス経路が開路し、バイパス経路を流れていた変流器二次電流が遮断器の引き外しコイル３に供給される。遮断器が開路し、需要家線路に接続される負荷を遮断する。
【００２７】
日本工業規格ＪＩＳＣ４６０２に規定される変流器二次電流による遮断器引き外し方式の過電流継電器は、以上のようにして、高圧需要場所の受電点における電路の短絡及び過負荷保護を行うことができる。
【００２８】
ところで、以上の説明から理解できるように、負荷に過負荷が発生した場合や短絡事故が発生すると、出力リレー１１は、大きな変流器二次電流を遮断するので、接点間に生ずるアークにより、接点部分のメッキが剥がされてしまい、接点部分が接触不良となることがある。
【００２９】
次に遮断器を閉じて運用に入るときに、過電流検出回路９は判定動作を行わないので、出力リレー１１の接点１２が常閉の状態に戻り、変流器二次電流をバイパスする経路が形成される。しかし、出力リレーの接点に接触不具合が発生していると、接触抵抗の増加によってバイパス経路を流れる変流器二次電流が遮断器の引き外しコイル３へ分流してしまい、図示しない遮断器が不要動作を行うという問題が起こる。
【００３０】
また、出力リレー１１は、図示しない需要家用線路に過負荷等が無く健全である期間は常時接点を閉じた状態で運用されるが、経年変化によって出力リレー１１の常時閉じている接点１２に接触不具合が発生することがあり、同様に、遮断器が不要動作を行うという問題が起こる。
【００３１】
そこで、この実施の形態１による過電流継電器６ａでは、図１と図２に示すように、出力リレー１１を活線状態で交換できるように構成してある。以下、この実施の形態１による過電流継電器６ａについて説明する。
【００３２】
すなわち、図１に示すように、この実施の形態１による過電流継電器６ａでは、出力リレー１１を出力リレー筐体２０に収容し、この出力リレー筐体２０を当該過電流継電器６ａに対して着脱可能に構成してある。そのため、この出力リレー筐体２０は、活線状態においても引き抜き交換できるようなコネクタ（接続部）２１ａ，２１ｂ，２１ｃ，２１ｄを備えている。
【００３３】
コネクタ２１ａ，２１ｂは、出力リレー筐体２０を当該過電流継電器６ａに挿入したとき、出力リレー１１のコイルを、出力駆動回路１０の出力端子に接続する。コネクタ２１ｃ，２１ｄは、出力リレー筐体２０を当該過電流継電器６ａに挿入したとき、出力リレー１１の接点１２を、バイパス経路における端子Ｔ１と補助トランス８の一次側との接続端と、端子Ｔ２，Ｃ２の接続端とに接続する。
【００３４】
また、出力リレー筐体２０の挿入端側の外壁に絶縁体突起物２２を取り付けてある。そして、バイパス経路における出力リレー１１の接点１２が介在する端子Ｔ１と補助トランス８の一次側との接続端と、端子Ｔ２，Ｃ２の接続端との間に、２つの短絡片２３を設けてある。２つの短絡片２３は、例えば、両先端部分が観音扉のように開閉できるバネ材で構成されている。
【００３５】
２つの短絡片２３は、出力リレー筐体２０を当該過電流継電器６ａに挿入したときは、絶縁体突起物２２によって両先端部分が押し開かれて、端子Ｔ１と補助トランス８の一次側との接続端と、端子Ｔ２，Ｃ２の接続端との間を開放する。この場合は、接点１２が端子Ｔ１と補助トランス８の一次側との接続端と、端子Ｔ２，Ｃ２の接続端との間を接続してバイパス経路を閉路状態に維持する。
【００３６】
また、２つの短絡片２３は、出力リレー筐体２０を、図４に示すように、当該過電流継電器６ａから引き抜いたときは、絶縁体突起物２２が外れることで、両先端部分が閉じて当接接触し、端子Ｔ１と補助トランス８の一次側との接続端と、端子Ｔ２，Ｃ２の接続端との間を短絡する状態になり、恰も接点１２が存在するかのようにバイパス経路を閉路するようになっている。
【００３７】
つまり、出力リレー筐体２０を当該過電流継電器６ａから引き抜くと、２つの短絡片２３によって、端子Ｔ１と補助トランス８の一次側との接続端と、端子Ｔ２，Ｃ２の接続端との間を短絡する構造であるので、運用中の活線状態において出力リレー筐体２０を引き抜いても、当該過電流継電器６ａでは、変流器二次電流は遮断器引き外しコイル３に流れないようにすることができる。したがって、出力リレー１１の接点部分に接触不良が発生した場合に運用中であっても代替えの出力リレーと交換ができる。
【００３８】
このように、実施の形態１によれば、変流器二次電流による遮断器引き外し方式の過電流継電器において、本継電器の動作によって、或いは、動作はしないが経年変化によって接触不良となる可能性の高い出力リレーを運用に支障を与えずに容易に交換できるので、出力リレーの接触不良による遮断器の不要動作を未然に防止することができ、運用における信頼度を向上させるという効果が得られる。
【００３９】
実施の形態２．
図３は、この発明の実施の形態２による過電流継電器の構成を説明する図である。なお図３では、図１（実施の形態１）に示した構成要素と同一ないしは同等である構成要素には同一の符号が付されている。ここでは、この実施の形態２に関わる部分を中心に説明する。
【００４０】
図３に示すように、この実施の形態２による過電流継電器６ｂでは、図１（実施の形態１）に示した構成において、電圧検出回路２５と、出力駆動回路２６と、常開型の補助リレー（Ｙ）２７とが追加されている。
【００４１】
電圧検出回路２５は、端子Ｔ１と補助トランス８の一次側との接続端と、端子Ｔ２，Ｃ２の接続端との間の電圧、つまり、出力リレー１１の接点１２の両端電圧を測定し、測定した電圧値が判定閾値を超えるとき、出力リレー１１の接点１２の接触不良と判断して監視異常を出力する構成である。
【００４２】
出力駆動回路２６は、電圧検出回路２５が監視異常を出力しない場合は、補助リレー２７を駆動せず、電圧検出回路２５が監視異常を出力した場合に補助リレー２７を駆動する構成である。
【００４３】
補助リレー２７は、電圧検出回路２５が監視異常を出力した場合に、出力駆動回路２６に駆動されて接点２８を閉じて、例えば監視盤に取り付けてあるランプを点灯するなどして外部へ異常信号を出力する構成である。
【００４４】
次に、動作について説明する。閉じてバイパス経路を形成している出力リレー１１の接点１２の接触抵抗が大きくなると、接点１２の両端電圧が上昇する。そこで、電圧検出回路２５は、出力リレー１１の閉じている接点１２の両端電圧を取り込み、計測した電圧値と判定閾値との大小関係を判定することで、出力リレー１１の接触不良有無を監視している。その過程で、電圧検出回路２５は、接点１２の両端電圧値が判定閾値以上となると、監視異常を出力する。すると、出力駆動回路２６が補助リレー２７を動作させる。補助リレー２７の接点２８が閉じることで、外部に異常信号が出力される。これによって、係員は、出力リレー１１を交換することになる。
【００４５】
このように、実施の形態２によれば、閉じてバイパス経路を形成している出力リレーの接点の両端電圧を測定し、測定した両端電圧値が判定閾値以上であると、出力リレーの接触不良と判定して補助リレーを動作させて外部へ異常信号を出力するようにしたので、係員は、出力リレーの適切な交換時期を知ることができる。
【００４６】
すなわち、出力リレーの交換時期が確実に判定できるので、出力リレーの接触不良による遮断器の不要動作を未然に防止することができ、運用における信頼度を向上させるという効果が得られる。
【００４７】
実施の形態３．
図４は、この発明の実施の形態３による過電流継電器の構成を説明する図である。なお図４では、図３（実施の形態２）に示した構成要素と同一ないしは同等である構成要素には同一の符号が付されている。ここでは、この実施の形態３に関わる部分を中心に説明する。
【００４８】
図４に示すように、この実施の形態３による過電流継電器６ｃでは、図３（実施の形態２）に示した構成において、電圧検出回路２５に代えて、インピーダンス検出回路３０が設けられている。
【００４９】
インピーダンス検出回路３０は、閉じてバイパス経路を形成している出力リレー１１の接点１２の両端電圧と、過電流検出回路９が検出した変流器二次電流とを用いてインピーダンスを演算し、求めたインピーダンス値が判定閾値以上になるとき、出力リレー１１の接点の接触不良と判断して監視異常を出力駆動回路２６に出力する構成である。
【００５０】
次に、動作について説明する。インピーダンス検出回路３０は、出力リレー１１の接点１２が閉じてバイパス経路を形成している状態において、接点１２の両端電圧と過電流検出回路９が検出した変流器二次電流とを取り込んでインピーダンスを演算し、求めたインピーダンス値と判定閾値との大小関係を判定することで、出力リレー１１の接触不良有無を監視している。その過程で、インピーダンス検出回路３０は、求めたインピーダンス値が判定閾値以上となると、監視異常を出力する。すると、出力駆動回路２６が補助リレー２７を動作させる。補助リレー２７の接点２８が閉じて、例えば監視盤に取り付けてあるランプを点灯するなどして外部へ異常信号が出力される。これによって、係員は、出力リレー１１を交換することになる。
【００５１】
このように、実施の形態３によれば、閉じてバイパス経路を形成している出力リレーの接点の両端電圧と変流器二次電流とによってインピーダンスを演算し、求めたインピーダンス値と判定閾値との大小関係で出力リレーの接触不良有無を判定するので、変流器二次電流の大きさに関わらず、出力リレーの接触抵抗の多寡を判定することができ、出力リレーの適切な交換時期を報知することができる。
【００５２】
すなわち、出力リレーの交換時期が確実に判定できるので、出力リレーの接触不良による遮断器の不要動作を未然に防止することができ、運用における信頼度を向上させるという効果が得られる。
【００５３】
実施の形態４．
図５は、この発明の実施の形態４による過電流継電器の構成を説明する図である。なお図５では、図３（実施の形態２）に示した構成要素と同一ないしは同等である構成要素には同一の符号が付されている。ここでは、この実施の形態４に関わる部分を中心に説明する。
【００５４】
図５に示すように、この実施の形態４による過電流継電器６ｄでは、図３（実施の形態２）に示した構成において、補助リレー２７の接点２８が出力リレー１１の接点１２と並列に接続されている。
【００５５】
次に、動作について説明する。電圧検出回路２５は、測定した出力リレー１１の接点１２の両端電圧値が判定閾値以上になると、監視異常を出力する。これによって、補助リレー２７は、出力駆動回路２６の駆動されて接点２８を閉じて出力リレー１１の接点２を強制的に短絡する。すなわち、変流器二次電流が遮断器２の引き外しコイル３に分流するのが防止される。
【００５６】
このように、この実施の形態４によれば、出力リレーの接触抵抗が増加すると、変流器二次電流が遮断器引き外しコイルに分流して遮断器が動作する可能性がある場合に、補助リレーが接点を閉じて接触不良を生じている出力リレーの接点を強制的に短絡するので、変流器二次電流が遮断器引き外しコイルに分流して遮断器が動作するのを確実に防止することができる。
【００５７】
すなわち、出力リレーの接触不良による遮断器の不要動作を未然に防止することができるので、運用における信頼度を向上させるという効果が得られる。なお、実施の形態４では実施の形態２への適用例を示したが、実施の形態３にも同様に適用することができる。
【００５８】
実施の形態５．
図６は、この発明の実施の形態５による過電流継電器の構成を説明する図である。なお図６では、図５（実施の形態４）に示した構成要素と同一ないしは同等である構成要素には同一の符号が付されている。ここでは、この実施の形態５に関わる部分を中心に説明する。
【００５９】
図６に示すように、この実施の形態５による過電流継電器６ｅでは、図５（実施の形態４）に示した構成において、リセット回路３２が設けられている。リセット回路３２は、論理反転回路３３と論理積回路３４とで構成される。論理反転回路３３は、過電流検出回路９の出力レベルを反転して論理積回路３４の一方の入力端子に与える。論理積回路３４の他方の入力端子は、電圧検出回路２５の出力端子に接続され、論理積回路３４の出力端子は、出力駆動回路２６の入力端子に接続されている。
【００６０】
次に、動作について説明する。過電流検出回路９は、動作判定を行わない場合は、出力レベルを低レベルにし、動作判定を行うと出力レベルを高レベルにする。電圧検出回路２５は、監視異常を検出すると出力レベルを高レベルにする。
【００６１】
そうすると、過電流検出回路９が動作判定を行わない場合において、電圧検出回路２５が監視異常を検出すると、論理積回路３４ではＡＮＤ条件が成立するので、補助リレー２７は、出力起動回路２６に駆動されて接点２８を閉じ、出力リレー１１の接点１２を強制的に短絡する。
【００６２】
この動作状態において、負荷に過負荷や短絡事故が発生し、過電流検出回路９が動作判定を行うと、出力駆動回路１０が出力リレー１１を駆動するので、出力リレー１１は接点１２を開状態にしてバイパス経路を遮断し、変流器二次電流が遮断器引き外しコイル３に供給されるようにする。しかし、リセット回路３２がないと、補助リレー２７の接点２８が閉じているので、変流器二次電流は遮断器引き外しコイル３に供給されない。リセット回路３２は、このケースにおいて、補助リレー２７を強制的に常開の状態に復帰させるために設けてある。
【００６３】
すなわち、論理積回路３４ではＡＮＤ条件が不成立となるので、出力駆動回路２６は、補助リレー２７の駆動を止める。すると、補助リレー２７は、閉じていた接点２７を常開の状態に復帰させるので、遮断器引き外しコイル３に変流器二次電流が供給され、遮断器２を確実に開路させることができる。
【００６４】
このように、実施の形態５によれば、接触抵抗が増加した出力リレーの接点を補助リレーの接点によって強制的に短絡している状況下において、当該過電流継電器が動作判定した場合には、補助リレーを強制的に常開の状態に復帰させるようにしたので、変流器二次電流によって遮断器を確実に引き外すことができる。
【００６５】
なお、実施の形態２〜５では、図１に示した実施の形態１による過電流継電器への適用例を示したが、日本工業規格ＪＩＳＣ４６０２の規定に従って構成される従来の過電流継電器へも同様に適用できることは言うまでもない。
【産業上の利用可能性】
【００６６】
以上のように、この発明にかかる過電流継電器は、変流器二次電流による遮断器引き外し方式の過電流継電器において、出力リレーの接点に接触不具合が発生しても、遮断器の不要動作を未然に防止できる過電流継電器として有用である。
【図面の簡単な説明】
【００６７】
【図１】この発明の実施の形態１による過電流継電器の構成を説明する図である。
【図２】図１に示す過電流継電器において出力リレーを活線状態で抜き出した場合にバイパス経路が維持される構成を説明する図である。
【図３】この発明の実施の形態２による過電流継電器の構成を説明する図である。
【図４】この発明の実施の形態３による過電流継電器の構成を説明する図である。
【図５】この発明の実施の形態４による過電流継電器の構成を説明する図である。
【図６】この発明の実施の形態５による過電流継電器の構成を説明する図である。
【符号の説明】
【００６８】
３  遮断器引き外しコイル
５  変流器
６ａ，６ｂ，６ｃ，６ｄ，６ｅ  過電流継電器
７  端子台
Ｃ１，Ｔ１，Ｃ２，Ｔ２  端子
８  補助トランス
９  過電流検出回路
１０，２６  出力駆動回路
１１  出力リレー（Ｘ）
１２  出力リレー（Ｘ）の接点
２０  出力リレー筐体
２１ａ，２１ｂ，２１ｃ，２１ｄ  コネクタ（接続部）
２２  絶縁体突起物
２３  短絡片
２５  電圧検出回路
２７  補助リレー（Ｙ）
２８  補助リレー（Ｙ）の接点
３０  インピーダンス検出回路
３２  ロック回路
３３  論理反転回路
３４  論理積回路
【図１】
2010022092.tif 000003
【図２】
2010022092.tif 000004
【図３】
2010022092.tif 000005
【図４】
2010022092.tif 000006
【図５】
2010022092.tif 000007
【図６】
2010022092.tif 000008